【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
オクチルトリメトキシシランでコーティングされたアモルファスシリカから成る高帯電シリカ化合物と、
未処理シリカから成る気泡含有シリカ化合物と、
二酸化ケイ素の高密度アモルファス粒子から成るコロイド状シリカ化合物と、
ポリマー系スペーサーと、
架橋したスペーサーと、
を含む表面添加剤パッケージを含む低エネルギー消費単色トナーであって、
トナーは、約１８５℃の融合温度をもたらし、約８３／１７／５部〜約７０／３０／２部の各比率でスチレン、アクリル酸ｎ−ブチル、およびβカルボキシエチルアクリレートを含むモノマーを含む、低エネルギー消費単色トナー。
【請求項２】
高帯電シリカ化合物が、表面添加剤パッケージの約２重量％〜約３重量％の量で存在する、請求項１に記載の低エネルギー消費単色トナー。
【請求項３】
気泡含有シリカ化合物が、表面添加剤パッケージの約０．１０重量％〜約０．９０重量％の量で存在する、請求項１に記載の低エネルギー消費単色トナー。
【請求項４】
コロイド状シリカ化合物が、表面添加剤パッケージの約０．０１重量％〜約０．３５重量％の量で存在する、請求項１に記載の低エネルギー消費単色トナー。
【請求項５】
ポリマー系スペーサーが、表面添加剤パッケージの約０．２５重量％〜約０．８５重量％の量で存在する、請求項１に記載の低エネルギー消費単色トナー。
【請求項６】
架橋したスペーサーが、表面添加剤パッケージの約０．０１重量％〜約０．３５重量％の量で存在する、請求項１に記載の低エネルギー消費単色トナー。
【請求項７】
スチレン、アクリル酸ｎ−ブチル、およびβ−カルボキシエチルアクリレートを含むモノマーを含むコアラテックスと；
オクチルトリメトキシシランでコーティングされたアモルファスシリカから成る高帯電シリカ化合物を有するシリカ混合物、ポリマー系スペーサーおよび架橋したスペーサーを含む表面添加剤パッケージと、
を含む低エネルギー消費単色トナーであって、
ポリマー系スペーサーは、スチレンアクリレート、ポリスチレン、フッ素化メタクリレート、およびこれらの組み合わせから成る群から選択され、
０ｇｇｕの光沢を有する低エネルギー消費単色トナー。
【請求項８】
シリカ混合物が未処理シリカをさらに含む、請求項７に記載の低エネルギー消費単色トナー。
【請求項９】
シリカ混合物がＳｉＯ２の高密度アモルファス粒子をさらに含む、請求項７に記載の低エネルギー消費単色トナー。
【請求項１０】
架橋したスペーサーは、メラミン、スチレンアクリレート、スチレンブタジエン、スチレンメタクリレート、ポリ（スチレン−アクリル酸アルキル）、ポリ（スチレン−１，３−ジエン）、ポリ（スチレン−メタクリル酸アルキル）、ポリ（スチレン−アクリル酸アルキル−アクリル酸）、ポリ（スチレン−１，３−ジエン−アクリル酸）、ポリ（スチレン−メタクリル酸アルキル−アクリル酸）、ポリ（メタクリル酸アルキル−アクリル酸アルキル）、ポリ（メタクリル酸アルキル−アクリル酸アリール）、ポリ（メタクリル酸アリール−アクリル酸アルキル）、ポリ（メタクリル酸アルキル−アクリル酸）、ポリ（スチレン−アクリル酸アルキル−アクリロニトリル−アクリル酸）、ポリ（スチレン−１，３−ジエン−アクリロニトリル−アクリル酸）、ポリ（アクリル酸アルキル−アクリロニトリル−アクリル酸）、ポリ（スチレン−ブタジエン）、ポリ（メチルスチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチル−イソプレン）、ポリ（アクリル酸メチル−イソプレン）、ポリ（アクリル酸エチル−イソプレン）、ポリ（アクリル酸プロピル−イソプレン）、ポリ（アクリル酸ブチル−イソプレン）、ポリ（スチレン−アクリル酸プロピル）、ポリ（スチレン−アクリル酸ブチル）、ポリ（スチレン−ブタジエン−アクリル酸）、ポリ（スチレン−ブタジエン−メタクリル酸）、ポリ（スチレン−ブタジエン−アクリロニトリル−アクリル酸）、ポリ（スチレン−アクリル酸ブチル−アクリル酸）、ポリ（スチレン−アクリル酸ブチル−メタクリル酸）、ポリ（スチレン−アクリル酸ブチル−アクリロニトリル）、ポリ（スチレン−アクリル酸ブチル−アクリロニトリル−アクリル酸）、ポリ（スチレン−ブタジエン）、ポリ（スチレン−イソプレン）、ポリ（スチレン−メタクリル酸ブチル）、ポリ（スチレン−アクリル酸ブチル−アクリル酸）、ポリ（スチレン−メタクリル酸ブチル−アクリル酸）、ポリ（メタクリル酸ブチル−アクリル酸ブチル）、ポリ（メタクリル酸ブチル−アクリル酸）、ポリ（アクリロニトリル−アクリル酸ブチル−アクリル酸）、およびこれらの組み合わせから成る群から選択される、請求項７に記載の低エネルギー消費単色トナー。
【請求項１１】
重量平均分子量（Ｍｗ）が約１５ｋｐｓｅ〜約６５ｋｐｓｅであり、ガラス転移温度（Ｔｇ）が約４５℃〜約７５℃であるシェルラテックスをさらに含む、請求項７に記載の低エネルギー消費単色トナー。
【請求項１２】
モノマーを含むコアラテックスと、
コアラテックスの上のシェルラテックスと、
シェルラテックスの上の表面添加剤パッケージであって、高帯電シリカ、気泡含有シリカ、コロイド状シリカ、ポリマー系スペーサー、および架橋したスペーサーを含む表面添加剤パッケージと、
を含む低エネルギー消費単色トナーであって、
高帯電シリカは、トナーの２．０〜３．０重量％で存在し、
気泡含有シリカは、トナーの０．１〜０．７５重量％で存在し、
コロイド状シリカは、トナーの０．０５〜０．３５重量％で存在し、
ポリマー系スペーサーは、トナーの０．２５〜０．７５重量％で存在し、
架橋したスペーサーは、トナーの０．０１〜０．３５重量％で存在する、低エネルギー消費単色トナー。
【請求項１３】
コアラテックスは、重量平均分子量（Ｍｗ）が約１５ｋｐｓｅ〜約６０ｋｐｓｅであり、ガラス転移温度（Ｔｇ）が約３５℃〜約７５℃である、請求項１２に記載の低エネルギー消費単色トナー。
【請求項１４】
トナーのトナー粒子は、真円度が約０．９４０〜約０．９７５である、請求項１２に記載の低エネルギー消費単色トナー。
【請求項１５】
トナーは、光沢が０ｇｇｕである、請求項１２に記載の低エネルギー消費単色トナー。
【請求項１６】
トナーは、約２００℃〜約２３０℃の熱オフセット温度を示す、請求項１２に記載の低エネルギー消費単色トナー。
【請求項１７】
スチレン、アクリル酸ｎ−ブチル、およびβ−カルボキシエチルアクリレートの各比率は、約８３／１７／５部〜約７０／３０／２部である、請求項７に記載の低エネルギー消費単色トナー。
【請求項１８】
モノマーは、約８３／１７／５部〜約７０／３０／２部の各比率でスチレン、アクリル酸ｎ−ブチル、およびβカルボキシエチルアクリレートを含む、請求項１２に記載の低エネルギー消費単色トナー。